(57)【要約】【課題】  戻り口部の形状を工夫することで、簡単な構成により、液室内の局部加熱沸騰を防止できるようにする。【解決手段】  内胴３９と外胴４０との間に熱媒液を貯溜する液室４１が形成され、この液室４１の内側に燃焼室４２が形成された横向き設置の缶体１６と、この缶体１６の燃焼室４２の一端側に設けられたバーナ１７と、液室４１の熱媒液を放熱器へ循環させた後に再び液室４１に戻す循環ポンプとを備え、液室４１の戻り口部４５がバーナ寄とした缶体１６の一端部側の下部に設けられ、かつ、液室４１の往き口部４７が缶体１６の他端部側に設けられた構成の熱源装置である。そして、戻り口部４５は、外胴を貫通してその先端部を内胴３９に接近或いは当接させると共にその内胴３９の円周方向の片側一方向に向けて熱媒液を噴出する開放面Ｘを有する戻り口管４６にて構成されている。【選択図】          図２
2006052904.tif 000002
【特許請求の範囲】
【請求項１】
内胴と外胴との間に熱媒液を貯溜する液室が形成され、この液室の内側に燃焼室が形成された横向き設置の缶体と、この缶体の燃焼室の一端側に設けられたバーナと、液室の熱媒液を放熱器へ循環させた後に再び液室に戻す循環ポンプとを備え、前記液室の戻り口部がバーナ寄とした缶体の一端部側の下部に設けられ、かつ、液室の往き口部が前記缶体の他端部側に設けられた構成の熱源装置において、
前記戻り口部は、外胴を貫通してその先端部を前記内胴に接近或いは当接させると共にその内胴の円周方向の片側一方向に向けて熱媒液を噴出する開放面を有する戻り口管にて構成されていることを特徴とする熱源装置。
【請求項２】
前記戻り口管の開放面は、斜めに切断された傾斜切断面にて形成されていることを特徴とする請求項１に記載の熱源装置。
【発明の詳細な説明】
【技術分野】
【０００１】
本発明は、床暖房パネル等の放熱器に加熱した熱媒液を循環供給する熱源装置に関し、特に、内、外胴間に熱媒液を貯溜する液室が形成される共にその液室の内側に燃焼室が形成された横向き設置型の熱源装置に関する。
【背景技術】
【０００２】
従来、この種の熱源装置において、内胴と外胴との間に熱媒液を貯溜する液室が形成され、この液室の内側に燃焼室が形成された横向き設置の缶体と、この缶体の燃焼室の一端側に設けられたバーナと、液室の熱媒液を放熱器へ循環させた後に再び液室に戻す循環ポンプとを備え、前記液室の戻り口部がバーナ寄とした缶体の一端部側の下部に設けられ、かつ、液室の往き口部が前記缶体の他端部側に設けられた構成の熱源装置が知られている（特許文献１参照）。
【特許文献１】特開２００４−２８４４１号公報
【発明の開示】
【発明が解決しようとする課題】
【０００３】
ところで、上記した従来構成の熱源装置では、図４に示すように、内胴１と外胴２との間に液室３を形成した缶体４におけるバーナ寄の下部に、床暖房パネル等で放熱した後の熱媒液を液室３に戻すための戻り口部５が設けられている。この従来構成の戻り口部５は、水平に切断された戻り口管６の先端部を外胴２に貫通させて液室３に臨ませた構成であるため、前記した戻り口部５から液室３内に流入した熱媒液が、そのまま缶体４の往き口部７へ流れ、例えば、バーナ寄りの液室３の上部に局部加熱が生じて熱媒液が沸騰し、釜鳴り音現象が発生する場合がある。
【０００４】
上記したような熱媒液の沸騰による釜鳴り音現象は、特に、床暖房パネルを設置した部屋の室温や床温が設定温度に近づいて、床暖房パネルへ循環供給する熱媒液の循環量が減少しており、なおかつ、バーナの燃焼量がまだ最小燃焼量まで低下していないときに、発生していた。
【０００５】
本発明は上述の実情に鑑みてなされたものであり、戻り口部の形状を工夫することで、簡単な構成により、液室内の局部加熱沸騰を防止できるようにすることを目的としている。
【課題を解決するための手段】
【０００６】
請求項１に記載の発明は、内胴と外胴との間に熱媒液を貯溜する液室が形成され、この液室の内側に燃焼室が形成された横向き設置の缶体と、この缶体の燃焼室の一端側に設けられたバーナと、液室の熱媒液を放熱器へ循環させた後に再び液室に戻す循環ポンプとを備え、前記液室の戻り口部がバーナ寄とした缶体の一端部側の下部に設けられ、かつ、液室の往き口部が前記缶体の他端部側に設けられた構成の熱源装置において、前記戻り口部は、外胴を貫通してその先端部を前記内胴に接近或いは当接させると共にその内胴の円周方向の片側一方向に向けて熱媒液を噴出する開放面を有する戻り口管にて構成されていることを特徴とする。
【０００７】
請求項２に記載の発明は、請求項１に記載の熱源装置において、前記戻り口管の開放面は、斜めに切断された傾斜切断面にて形成されていることを特徴とする。
【発明の効果】
【０００８】
本発明では、液室の戻り口部からは内胴の円周方向の片側一方向に向けて熱媒液が噴出されるので、この戻り口部から噴出された放熱後の温度低下した熱媒液は、液室の出口となる往き口部へそのまま流れること無く、内胴の円周方向の片側一方向へ流れて旋回流となり、缶体上部に滞留しやすい高温の熱媒液を拡散でき、液室内の局部加熱沸騰が原因での釜鳴り音現象を、簡単な構成で抑えることができる。
【発明を実施するための最良の形態】
【０００９】
以下、本発明の実施の形態を図面に基づき説明する。図１は本発明の一実施形態における熱源装置の内部構造の説明図、図２は要部縦断面図である。
【００１０】
図１及び図２において、１０は床暖房などの温水暖房に利用される熱源装置、１１は外装体、１２は外装体１１の天板、１３は底板である。１４は外装体１１内の下部に設けられた循環ポンプ、１５は循環ポンプ１４の上方に設置されたリザーブタンク、１６はリザーブタンク１５の上方に横向き設置された缶体である。
【００１１】
１７は缶体１６の一端側に取り付けられた灯油等の石油燃料を気化して燃焼させる石油気化式のバーナであり、この石油気化式のバーナ１７は燃焼量が最大燃焼量から最小燃焼量の範囲で可変するものである。
【００１２】
１８、１９は下端が底板１３に固定され、外装体１１内に間隔を存して立設された支持板であり、これら支持板１８、１９間に前記リザーブタンク１５を載せる載置板２０が架設され、前記支持板１８、１９の上部で前記缶体１６の左右の両端部が支持されている。また、前記缶体１６の上部には、プレッシャーキャップ２１が設けられたキャップ受け体２２が取り付けられている。
【００１３】
前記キャップ受け体２２とリザーブタンク１５との間にはパイプ（図示せず）が接続され、循環用の補給水がリザーブタンク１５からパイプを通り缶体１６へ補給される。また、缶体１６の下部には可撓性の戻り管２４が接続され、この戻り管２４は缶体１６から下方へ延び、適所から略直角に折曲して後方へ延びて外装体１１の外部へ臨ませている。
【００１４】
２５は支持板１９と外装体１１との間に設けられた運転制御装置等の電装部品、２７は表示部を兼ねた操作部であり、この操作部２７には運転スイッチ等の複数のスイッチと複数の表示ランプ等が設けられている。
【００１５】
３０は缶体１６と循環ポンプ１４との間に接続された循環パイプ、３１は循環ポンプ１４の吐出口側に接続された往き管であり、この往き管３１も後方に延びて外装体１１の外部に臨ませてある。
【００１６】
３３はオイルレベラー、３４は燃料供給用の電磁ポンプ、この電磁ポンプ３４により汲み上げられたオイルレベラー３３内の燃料は燃料供給管３５を通って前記バーナ１７へ供給される。
【００１７】
３６は前記バーナ１７に燃焼用空気を供給するバーナ送風機、３７は缶体１６内から排出されるバーナ１７の燃焼排ガスを外部へ排気する排気管である。
【００１８】
次に前記缶体１６について詳述する。この缶体１６は、図１及び図２に示すように、円筒形状の内胴３９と、この内胴３９の外側に間隔を開けて同心的に設けた外胴４０との間に、循環用温水（熱媒液）を貯溜する液室４１が形成されてあり、この液室４１の内側、即ち、内胴３９内に燃焼室４２が形成されており、この燃焼室４２の燃焼排ガスは、前記液室４１を貫通する多数の煙管４３、４３を通って排気ケース４４内に集合した後、排気管３７から外部へ排気される。
【００１９】
４５は前記バーナ１７寄りとした缶体１６の下部に設けられた液室４１の戻り口部であり、この戻り口部４５は、図２に示すように、外胴４０を貫通してその先端部を前記内胴３９に接近或いは当接させると共に、その内胴３９の円周方向の片側一方向に向けて循環用温水（熱媒液）を噴出する開放面Ｘを有するステンレス鋼管製の戻り口管４６にて構成されている。
【００２０】
そして、前記戻り口管４６の開放面Ｘは、斜め上向きになるように、鉛直方向に対し、約４５度の傾斜角度θで切断した傾斜切断面にて形成されている。また、この戻り口管４６の下部に前記した戻り管２４が接続されるものである。
【００２１】
また、４７は前記缶体１６の他端部側の上部に設けられた液室４１の往き口部であり、この往き口部４７は、前記循環パイプ３０を介して循環ポンプ１４の吸い込み部に連通する。
【００２２】
このように構成された熱源装置１０において、バーナ１７が燃焼を開始すると、バーナ１７の火炎Ｆが燃焼室４２に形成され、この燃焼室４２の燃焼ガスは、多数の煙管４３、４３を通過して液室４１の循環用温水（熱媒液）を加熱昇温させ、排気ケース４４から排気管３７を通って外部へ排気される。
【００２３】
前記循環ポンプ１４の運転が開始されると、缶体１６で約４０〜６０℃に加熱された循環用温水（熱媒液）は、往き口部４７を出て、循環パイプ３０、循環ポンプ１４及び往き管３１を介して、例えば、室内の床に設置された床暖房パネル等の放熱器（図示せず）に循環され、この放熱器で温水暖房が行なわれ、放熱器で放熱後の温度低下した循環用温水（熱媒液）は、戻り管２４を通り、戻り口管４６先端の開放面Ｘから液室４１内に噴出して戻される。
【００２４】
ここで、戻り口管４６先端の開放面Ｘから液室４１内に噴出される放熱後の温度低下した循環用温水（熱媒液）は、図２に示すように、液室４１の出口となる往き口部４７へそのまま流れること無く、内胴３９の円周方向の片側一方向へ向かって流れて旋回流となり、この旋回流によって、バーナ１７に近い液室４１の上部（図１の破線で示す領域Ｙ）に高温の循環用温水（熱媒液）が停滞しないように拡散させることができ、液室４１内の局部加熱沸騰を抑え、この局部加熱沸騰が原因での釜鳴り音現象を抑制することができる。
【００２５】
尚、上述の一実施形態では、戻り口管４６の開放面Ｘは、斜め上向きになるように、鉛直方向に対し、約４５度の傾斜角度θで切断した傾斜切断面にて形成されているが、例えば、図３に示すように、液室４１内に突出した部分における戻り口管４６の先端部の半分を削除して、上面と右側面（図３においての右側面）を開放させた形状にしても良く、本発明はこれらの実施形態に限定されるものでないことは明らかである。
【図面の簡単な説明】
【００２６】
【図１】本発明の一実施形態を示す熱源装置の内部構造を説明する説明図である。
【図２】同じく、要部縦断側面図である。
【図３】戻り口管の他の実施形態を示す要部縦断側面図である。
【図４】従来例を示す縦断側面図である。
【符号の説明】
【００２７】
１０    熱源装置
１４    循環ポンプ
１６    缶体
１７    バーナ
３９    内胴
４０    外胴
４２    燃焼室
４５    戻り口部
４６    戻り口管
４７    往き口部
Ｘ    開放面
【図１】
2006052904.tif 000003
【図２】
2006052904.tif 000004
【図３】
2006052904.tif 000005
【図４】
2006052904.tif 000006